(57)【要約】【課題】  複数の原稿の読取処理に要するトータル時間を短縮することができる原稿読取装置を提供する。【解決手段】  原稿の搬送経路５０に沿って、原稿の斜行を矯正するための分離ローラ１８及びレジストローラ１９等と、原稿上の画像を読み取るための撮像素子及び密着型イメージセンサ２９等とを配設する。搬送される原稿の斜行矯正動作が行われるように、ピックアップローラ１７及び分離ローラ１８の回転に伴い、原稿の前端がレジストローラ１９に当接する位置まで搬送されたとき、レジストローラ１９の回転を一時的に停止させて、原稿の斜行矯正を行うようにする。そして、原稿のサイズ等に応じて、一時停止時間の長さが調整される。【選択図】      図１
2005167724.tif 000002
【特許請求の範囲】
【請求項１】
原稿の搬送経路に、原稿の画像を読み取るようにした読取手段を設けた原稿読取装置において、
原稿の搬送経路内に配置され、原稿の搬送を一時的に停止させることにより原稿の斜行を矯正するようにした矯正手段と、
原稿の属性に対応して前記矯正手段による原稿の一時停止時間を調整するようにした調整手段と
を備えたことを特徴とする原稿読取装置。
【請求項２】
原稿の属性は、原稿サイズ及び原稿紙質の少なくとも一方であることを特徴とした請求項１に記載の原稿読取装置。
【請求項３】
原稿の搬送経路に、原稿の画像を読み取るようにした読取手段を設けた原稿読取装置において、
原稿の搬送経路内に配置され、原稿の搬送を一時的に停止させることにより原稿の斜行を矯正するようにした矯正手段と、
読み取り条件に対応して前記矯正手段による原稿の一時停止時間を調整するようにした調整手段と
を備えたことを特徴とする原稿読取装置。
【請求項４】
読み取り条件は、解像度の高低及び倍率の大小の少なくとも一方であることを特徴とした請求項３に記載の原稿読取装置。
【請求項５】
前記調整手段は、前記一時停止時間に関する複数のデータを記憶する記憶部を有し、その中のデータを択一選択して一時停止時間を設定するようにしたことを特徴とする請求項１〜請求項４のいずれか一項に記載の原稿読取装置。
【請求項６】
前記記憶部内のデータを手動操作により書き換えるための変更手段を設けたことを特徴とする請求項５に記載の原稿読取装置。
【発明の詳細な説明】
【技術分野】
【０００１】
この発明は、複写機、ファクシミリ、スキャナーや、それらの複合機等に設けられる原稿読取装置に関するものであって、特に搬送中の原稿の斜行を矯正できるようにした原稿読取装置に関するものである。
【背景技術】
【０００２】
従来、この種の原稿読取装置としては、例えば特許文献１に開示されるような構成のものが提案されている。この特許文献１に記載された原稿読取装置においては、搬送経路内における記録媒体の通過状態から、媒体の斜行量を算出して、それに基づいて読み取られた画像の補正処理を行うようになっている。
【特許文献１】特開２００２−３００３６７号公報
【発明の開示】
【発明が解決しようとする課題】
【０００３】
ところが、この従来の原稿読取装置においては、画像の補正処理が複雑なプログラムに従って行われるため、その補正処理に時間がかかり、結果として原稿読み取りに要する時間が長時間になるおそれがある。しかも、この従来の原稿読取装置においては、原稿の物理的な斜行を矯正するものではないため、斜行に起因する紙詰まりを減少させることはできない。
【０００４】
この発明は、前記のような従来の技術に存在する問題点に着目してなされたものである。その目的は、複雑な構成のプログラムを必要とすることなく原稿の斜行を矯正でき、しかも、原稿の属性や読み取り条件に対応して原稿読み取りに要する時間を短縮でき、さらには、紙詰まりを減少させることができる原稿読取装置を提供することにある。
【課題を解決するための手段】
【０００５】
上記目的を達成するために、請求項１に記載の発明は、原稿の搬送経路に、原稿の画像を読み取るようにした読取手段を設けた原稿読取装置において、原稿の搬送経路内に配置され、原稿の搬送を一時的に停止させることにより原稿の斜行を矯正するようにした矯正手段と、原稿の属性に対応して前記矯正手段による原稿の一時停止時間を調整するようにした調整手段とを備えたことを特徴とする。
【０００６】
請求項２に記載の発明においては、請求項１に記載の発明において、原稿の属性は、原稿サイズ及び原稿紙質の少なくとも一方であることを特徴とした。
請求項３に記載の発明においては、原稿の搬送経路に、原稿の画像を読み取るようにした読取手段を設けた原稿読取装置において、原稿の搬送経路内に配置され、原稿の搬送を一時的に停止させることにより原稿の斜行を矯正するようにした矯正手段と、読み取り条件に対応して前記矯正手段による原稿の一時停止時間を調整するようにした調整手段とを備えたことを特徴とする。
【０００７】
請求項４に記載の発明においては、請求項３に記載の発明において、読み取りモードは、解像度及び倍率の少なくとも一方であることを特徴とした。
請求項５に記載の発明においては、請求項１〜請求項４のいずれか一項に記載の発明において、前記調整手段は、前記一時停止時間に関する複数のデータを記憶する記憶部を有し、その中のデータを択一選択して一時停止時間を決定するようにしたことを特徴とする。
【０００８】
請求項６に記載の発明においては、請求項５に記載の発明において、前記記憶部内のデータを手動操作により書き換えるための変更手段を設けたことを特徴とする。
【発明の効果】
【０００９】
この発明によれば、原稿の属性や読み取り条件に応じて、原稿搬送中の一時停止時間を調整するのみで、原稿の斜行を物理的に矯正できるようにしたため、原稿の種類や設定された読み取り条件の内容に関わらず、複雑な構成のプログラムを必要とすることなく原稿の斜行を矯正できる。従って、原稿読み取りに要する時間を短縮できるばかりでなく、紙詰まりを減少させることができるという効果を発揮する。
【発明を実施するための最良の形態】
【００１０】
以下、この発明に係る原稿読取装置を複合機に具体化した一実施形態を、図１〜図６に従って説明する。
図２に示すように、原稿読取装置としての複合機１０の上部には、原稿給送部１１、静止原稿載置部１２及び原稿読取機構部１３が装設されている。原稿給送部１１は、複数の原稿を連続的に搬送して、その表裏両面の画像を読み取る場合に、それらの原稿を搬送するための搬送経路５０を構成する。原稿載置部１２は、原稿上から静止画像を読み取る場合に、その原稿を載置する。また、複合機１０の下部には、図示しない周知の記録紙供給部、記録部及び記録紙排出部がそれぞれ装設されている。
【００１１】
図１及び図２に示すように、前記原稿給送部１１には、読み取り前の複数の原稿を積層状態で載置するための原稿載置台１４と、読み取り後の原稿を積層状態で載置するための原稿排出台１５とが装備されている。そして、この原稿載置台１４の原稿送込口から、原稿排出台１５の原稿排出口までの間が、前記複数の原稿を連続的に搬送するための搬送経路５０となっている。
【００１２】
前記原稿載置台１４の原稿送込口の近傍には、原稿載置台１４に載置された複数枚の原稿の前端と当接するように、開閉可能なシャッタ１６が配設されている。シャッタ１６の上流側には、原稿載置台１４上の複数枚の原稿のうちの一番上の原稿に当接して、その原稿を搬送経路５０側に送り出すためのピックアップローラ１７が配設されている。シャッタ１６の下流側には、ピックアップローラ１７によりシャッタ１６を通過して送り出された原稿を、１枚ずつ分離して搬送経路５０内に送り込むための分離ローラ１８及び分離パッド１８ａが配設されている。
【００１３】
図１及び図２に示すように、前記原稿給送部１１の分離ローラ１８の下流側には、レジストローラ１９、第１給送ローラ２０、第２給送ローラ２１、表面読取用ローラ２２、第３給送ローラ２３、裏面読取用ローラ２４、及び第４給送ローラ２５が搬送経路５０に沿って原稿の搬送順に配設されている。これらのローラ１９〜２５のうちで、レジストローラ１９、第１給送ローラ２０、第２給送ローラ２１、第３給送ローラ２３及び第４給送ローラ２５には、アイドルローラ１９ａ，２０ａ，２１ａ，２３ａ，２５ａがそれぞれ接触配置されている。
【００１４】
前記ピックアップローラ１７から第４給送ローラ２５までの各ローラ１７〜２５は、図３に示す１つの駆動モータとしてのステップモータ２６に作動連結されて回転駆動されるようになっている。また、これらのローラ１７〜２５のうちで、ピックアップローラ１７及び分離ローラ１８とステップモータ２６との間、並びにレジストローラ１９とステップモータ２６との間には、図３に示す電磁式のクラッチ２７，２８がそれぞれ介装され、必要に応じて各ローラ１７〜１９とステップモータ２６との作動連結が遮断されるようになっている。さらに、前記裏面読取用ローラ２４と対応する位置には、撮像素子を内装した密着型イメージセンサ２９が配設されている。
【００１５】
図１に示すように、前記原稿給送部１１の原稿載置台１４には、原稿載置台１４上に載置された原稿の幅に基づいて副走査方向のサイズを検知して原稿サイズを検出するための原稿サイズ検知センサＤＬＳが設けられている。ピックアップローラ１７とシャッタ１６との間には、シャッタ１６に当接された原稿の有無を検知する原稿有無検知センサＤＳ１が設けられている。分離ローラ１８とレジストローラ１９との間において分離ローラ１８寄りの位置には、搬送中の原稿の位置を検知する第１原稿位置検知センサＤＳＳが設けられている。
【００１６】
さらに、レジストローラ１９の近傍には、レジストローラ１９に原稿の前端が当接したことを検知するためのレジストセンサＤＲＳが設けられている。第２給送ローラ２１と第３給送ローラ２３との間において第３給送ローラ２３寄りの位置には、原稿の位置を検知する第２原稿位置検知センサＤＳ２が設けられている。第３給送ローラ２３と裏面読取用ローラ２４との間には、原稿の位置を検知する第３原稿位置検知センサＤＳ３が設けられている。
【００１７】
図２に示すように、前記原稿載置部１２には、上面に原稿を載置するための透明な原稿載置板３０と、その原稿載置板３０上に開閉回動可能に配設された押え蓋３１とが装備されている。そして、前記原稿給送部１１の原稿載置台１４及び原稿排出台１５は、この原稿載置部１２の押え蓋３１上に配設されている。
【００１８】
図１及び図２に示すように、前記原稿読取機構部１３には、透光板３２、光源３３、第１ミラー３４、第２ミラー３５、第３ミラー３６、集光レンズ３７及び撮像素子（ＣＣＤ）３８が装備されている。透光板３２は、原稿給送部１１の表面読取用ローラ２２に対抗配置されている。光源３３は、透光板３２上を通過する原稿、または原稿載置板３０上に載置された原稿に光を照射する。第１〜第３ミラー３４〜３６は、原稿からの反射光の光路を変更する。集光レンズ３７は、第３ミラー３６からの光を撮像素子３８上に収束させる。撮像素子３８は、集光レンズ３７を通して入射した光に基づいて原稿の画像を読み取るとともに、その読み取った原稿の画像信号を出力する。
【００１９】
前記光源３３及び第１ミラー３４は、副走査方向に移動可能な第１キャリッジ３９上に支持されている。また、第２及び第３ミラー３５，３６は、同じく副走査方向に移動可能な第２キャリッジ４０上に支持されている。そして、図示しない周知の移動機構によって、第１キャリッジ３９が第２キャリッジ４０の２倍の移動速度で移動されるようになっている。
【００２０】
これにより、前記原稿給送部１１による複数の原稿の連続搬送時には、第１及び第２キャリッジ３９，４０が、その移動範囲のほぼ中央に設定された待機位置Ｐ１から、透光板３２の真下に対向位置する読取位置Ｐ２に移動配置される。また、原稿載置部１２に載置された原稿上の静止画像の読み取り時には、両キャリッジ３９，４０が、原稿載置板３０の原稿給送部１１側の端部の真下に対向位置する位置Ｐ３と、原稿載置板３０の反対側端部の真下に対向位置する位置Ｐ４との間で移動される。
【００２１】
そして、前記のような構成の原稿給送部１１及び原稿読取機構部１３により原稿自動読取装置（ＡＤＦ）が構成され、第１及び第２キャリッジ３９，４０が読取位置Ｐ２に配置された状態で、透光板３２上を通過する原稿上の画像の読み取りが行われる。また、原稿載置部１２及び原稿読取機構部１３によりフラットベッドスキャナ（ＦＢＳ）が構成され、両キャリッジ３９，４０が位置Ｐ３から位置Ｐ４まで移動される間で、原稿載置板３０上に載置された原稿上の画像の読み取りが行われる。
【００２２】
次に、前記のように構成された複合機１０の電気的構成について説明する。
図３に示すように、制御装置４１は複合機１０全体の動作を制御するための制御手段を構成している。制御装置４１には、複合機の動作プログラム等の各種データを記憶するための記憶部４２が内装されている。また、記憶部４２には、前記レジストローラクラッチ２８及び分離ローラクラッチ２７の遮断継続時間を示すパラメータと、分離ローラクラッチ２７の遮断タイミングを示すパラメータとを多数種類格納したテーブル４２ａが設けられている。さらに、記憶部４２には、前記テーブル４２ａから択一選択されたレジストローラクラッチ２８及び分離ローラクラッチ２７の遮断継続時間を示すパラメータと、分離ローラクラッチ２７の遮断タイミングを示すパラメータとを一時的に記憶するワーキングエリア４２ｂとが設けられている。
【００２３】
また、制御装置４１には、前記撮像素子で読み取られた画像データを記憶するための画像メモリ５１が内装されている。そして、この制御装置４１は、前記各センサＤＬＳ，ＤＳ１，ＤＳＳ，ＤＲＳ，ＤＳ２，ＤＳ３、及び原稿読取用のスタートボタン等を備えた変更手段としての操作部４３から入力される各種信号に基づいて、前記ステップモータ２６、分離ローラクラッチ２７、レジストローラクラッチ２８、密着型イメージセンサ２９及び撮像素子３８の動作を制御する。
【００２４】
なお、この実施形態では、前記原稿給送部１１のレジストローラ１９、分離ローラ１８及びレジストローラクラッチ２８等により、原稿の斜行を矯正するための矯正手段が構成されている。また、前記原稿読取機構部１３の光源３３、第１ミラー３４、第２ミラー３５、第３ミラー３６、集光レンズ３７及び撮像素子３８等と、原稿給送部１１の密着型イメージセンサ２９とにより、読取手段が構成されている。さらに、制御装置４１により、原稿の斜行矯正の際、原稿の属性及び読み取り条件に対応して一時停止時間を調整するための調整手段が構成されている。
【００２５】
次に、前記のように構成された複合機１０の動作を説明する。
さて、この複合機１０において、図４のフローチャートに示す斜行矯正の際における原稿の一時停止時間の調整処理、図５のフローチャートに示す送り込み処理、図６のフローチャートに示す斜行矯正処理が実行される。これらの処理は、制御装置４１の制御のもとに記憶部４２内のプログラムが実行されることで進行する。
【００２６】
この場合、斜行矯正処理とは、搬送経路５０に送り込まれ原稿の搬送を斜行矯正のために一時的に停止させる処理のことをいう。すなわち、原稿はレジストローラ１９の位置においてその前端が一時的に停止されるとともに、その停止期間中、分離ローラ１８による送り込みが続行されることにより斜行が矯正される。
【００２７】
そこで、まず斜行矯正に先立つ図４の一時停止時間の調整処理について説明する。さて、図４のステップ（以下、Ｓと略記する）５０において、読み取り条件としての設定された倍率が判別され、その値が記憶部４２のワーキングエリア４２ｂに記憶される（Ｓ５１）。ここで、倍率とは、読み取られた画像データが送信または記録のために拡大または縮小状態で出力される拡大率または縮小率を示す。次いで、同じく読み取り条件としての設定された解像度が判別され（Ｓ５２）、その値がワーキングエリア４２ｂに記憶される（Ｓ５３）。ここで、解像度とは、読み取られた画像データが送信または記録のために出力される際の解像度を示す。次に、原稿の属性としての原稿の紙質が判別され（Ｓ５４）、その紙質を示す値がワーキングエリア４２ｂに記憶される（Ｓ５５）。前記倍率、解像度及び紙質は操作部４３において手動操作により設定される。
【００２８】
次いで、原稿の属性としての原稿のサイズが判別され（Ｓ５６）、その値がワーキングエリア４２ｂに記憶される（Ｓ５７）。原稿サイズの判別は、原稿載置台１４上に原稿が載置された状態で前記原稿サイズ検知センサＤＬＳにより原稿幅が検出されることにより実行される。そして、ワーキングエリア４２ｂに記憶された倍率、解像度、紙質及び原稿サイズの各データをもとにして、一時停止時間を示すパラメータのテーブル４２ａのなかから好適なパラメータが択一選択されて、ワーキングエリア４２ｂに設定される（Ｓ５８）。
【００２９】
ここで、前記倍率が大きいほど、また解像度が高いほど原稿の搬送速度が遅くなるので、長めの一時停止時間を示すパラメータが設定される。また、紙質が硬いほど剛性が高いので、短めの一時停止時間を示すパラメータが設定され、原稿サイズが小さいほど見かけ上の剛性が高いので、短めの一時停止時間を示すパラメータが設定される。前記Ｓ５７では、これらの読み取り条件及び原稿の属性を総合して、分離ローラクラッチ２７及びレジストローラクラッチ２８の遮断継続時間を示すパラメータと、分離ローラクラッチ２７の遮断タイミングを示すパラメータとが選択されてワーキングエリア４２ｂに設定される。
【００３０】
次に、図５に示す原稿の送り込み処理について説明する。
さて、ステップ（以下、Ｓと略記する）１００において、操作部４３のスタートボタンがオンされると、原稿有無検知センサＤＳ１からの検知信号に基づいて、原稿載置台１４上に原稿が載置されているか否かが判別される（Ｓ１０１）。原稿が存在しているときには、原稿サイズ検知センサＤＬＳからの検知信号により、原稿の副走査方向のサイズが判別され、そのサイズが記憶部４２に保存される（Ｓ１０２）。
【００３１】
その後、ステップモータ２６が起動されるとともに、レジストローラクラッチ２８が遮断状態から接続状態に切り換えられる（Ｓ１０３）。続いて、分離ローラクラッチ２７が遮断状態から接続状態に切り換えられる（Ｓ１０４）。これにより、ステップモータ２６の回転がピックアップローラ１７、分離ローラ１８及びレジストローラ１９等に伝達され、それらのローラ１７〜１９の回転に伴い、原稿載置台１４上から最初の１枚の原稿が搬送経路５０に送り込まれる。
【００３２】
続いて、第１原稿位置検知センサＤＳＳからの検知信号により、原稿の前端が分離ローラ１８よりもレジストローラ１９側の所定の第１搬送位置まで送り込まれたか否かが判別される（Ｓ１０５）。そして、原稿が第１搬送位置まで送り込まれると、ステップモータ２６の駆動ステップ数に基づいて、第１搬送位置からの原稿の搬送量の計測が開始される（Ｓ１０６）。さらに、この分離ローラ１８による原稿の送り込み動作中に、レジストローラ１９との間において、後述の図６のフローチャートに示す原稿の斜行矯正処理が実行される（Ｓ１０７）。
【００３３】
次に、前記第１搬送位置からの原稿の搬送量が、記憶部４２に記憶された原稿のサイズに対応する搬送量、すなわち、原稿の後端が分離ローラ１８から外れる位置まで搬送される搬送量に達したか否かが判断される（Ｓ１０８）。原稿の搬送量が所定量に達したときには、分離ローラクラッチ２７が遮断状態に切り換えられて、ピックアップローラ１７及び分離ローラ１８が停止される（Ｓ１０９）。これにより、後続の原稿の送り込みが一時的に停止され、この状態で先行の原稿がレジストローラ１９によって搬送され続ける。
【００３４】
その後、第１原稿位置検知センサＤＳＳからの検知信号により、原稿の後端が第１搬送位置まで搬送されたか否かが判別される（Ｓ１１０）。原稿の後端が所定位置まで搬送されると、原稿有無検知センサＤＳ１からの検知信号に基づいて、原稿載置台１４上に後続する原稿が存在するか否かが判別される（Ｓ１１１）。原稿載置台１４上に後続の原稿があるときには、前記Ｓ１０４に戻って、Ｓ１０４〜Ｓ１１１の処理が繰り返し実行される。これにより、原稿載置台１４上に複数の原稿が載置されている場合には、各原稿が先行の原稿の後端と後続する原稿の前端との間に所定の間隔をおいた状態で、搬送経路５０に順に送りまれる。これに対して、前記Ｓ１１１の判別において、原稿載置台１４上に原稿がない場合には、この送り込み処理が終了する。
【００３５】
次に、図６に示す原稿の斜行矯正処理について説明する。
さて、前記原稿の送り込み処理において、分離ローラ１８による原稿の動作中に、まずレジストセンサＤＲＳからの検知信号により、原稿の前端がレジストローラ１９に当接する第２搬送位置まで送り込まれたか否かが判別される（Ｓ２００）。原稿の前端が第２搬送位置に達すると、レジストローラクラッチ２８が接続状態から遮断状態に切り換えられて、レジストローラ１９が停止されるとともに、ステップモータ２６の駆動ステップ数に基づいて、原稿の前端側を停止させた状態における後端側の搬送量の計測が開始される（Ｓ２０１）。
【００３６】
これにより、レジストローラ１９による原稿の前端側の搬送が一時的に停止され、分離ローラ１８による原稿の後端側の搬送のみが継続される。このため、原稿が待機状態になり、その原稿の前端縁がレジストローラ１９に押し付けられて、原稿の斜行状態が矯正される。この場合、待機状態の原稿よりも先行する原稿がある場合には、その先行原稿に対する読取処理が、待機中の原稿の斜行矯正処理と同時に実行されている。
【００３７】
続いて、分離ローラ１８による原稿の後端側の搬送量が、記憶部４２に記憶された原稿の斜行矯正に必要な所定の搬送量に達したか否かが判別される（Ｓ２０２）。この判別は、前記ワーキングエリア４２ｂに設定されたパラメータの値に従い、分離ローラクラッチ２７の遮断タイミングに達したか否かによって実行される。そして、原稿の搬送量が所定値に達したタイミングで、分離ローラクラッチ２７が接続状態から遮断状態に切り換えられ、ピックアップローラ１７及び分離ローラ１８の回転が停止される（Ｓ２０３）。これにより、原稿の後端側の搬送動作が停止されて、その原稿の斜行矯正動作が終了する。
【００３８】
その後、斜行矯正動作を終了した待機状態の原稿が、原稿載置台１４上の複数の原稿のうちの最初の原稿であるか否かが判別される（Ｓ２０４）。最初の原稿である場合には、分離ローラクラッチ２７及びレジストローラクラッチ２８が共に遮断状態から接続状態に切り換えられる（Ｓ２０５）。これにより、ピックアップローラ１７、分離ローラ１８及びレジストローラ１９が回転されて、待機状態の原稿の搬送が再開される。一方、前記Ｓ２０４の判別において、待機状態の原稿が最初の原稿でない場合には、読取処理において、先行する原稿の後端が表面読取位置ＦＰに達したか否かの判別結果に基づいて、先行原稿の表面の画像読み取りが終了したか否かが判別される（Ｓ２０６）。そして、先行原稿の画像読み取りが終了したときには、前記Ｓ２０５に戻って、両クラッチ２７，２８が接続状態に切り換えられ、ローラ１７〜１９が回転されて、待機状態の原稿の搬送が再開される。これらの原稿搬送の再開は、ワーキングエリア４２ｂに設定された分離ローラクラッチ２７及びレジストローラクラッチ２８の遮断継続時間を示すパラメータの値に従う。
【００３９】
これにより、後続原稿の読み取り体勢が整ったと判断されたとき、すなわち、先行原稿と後続原稿とが搬送経路５０内で所定の前後間隔となったときに、搬送経路５０の途中に待機させている後続原稿の搬送が再開される。ここで、先行原稿と後続原稿との前後間隔は、後続原稿の表面の画像読み取りを開始するまでに、先行原稿の表面の画像読み取りデータを画像メモリ５１に記憶することができる間隔に設定されている。
【００４０】
前記のように、この実施形態の複合機１０においては、原稿給送部１１により複数の原稿を搬送経路５０内に１枚ずつ連続的に搬送しながら、それらの原稿の表裏両面の画像を読み取る場合、先行する原稿の画像読取動作と後続する原稿の斜行矯正動作とが同時に行われる。従って、１枚の原稿が搬送されるごとに、原稿の斜行矯正動作と画像読取動作とが順に行われるようにした場合に比較して、複数の原稿の読取処理に要するトータル時間を短縮することができる。
【００４１】
特に、この実施形態においては、原稿のサイズや紙質等の属性や、倍率や解像度等の読み取り条件に応じて、好適なパラメータが設定され、そのパラメータに応じて原稿搬送中における斜行矯正のための一時停止時間が調整される。このため、倍率や解像度等の読み取り条件や、原稿紙質やサイズ等の原稿の属性に関わらず、複雑な構成のプログラムを必要とすることなく原稿の斜行を有効に矯正できる。
【００４２】
また、この実施形態では、原稿給送部１１に従来から装備されているピックアップローラ１７、分離ローラ１８及びレジストローラ１９の回転を制御することにより、原稿の斜行状態が物理的に矯正されるようになっている。このため、斜行を矯正するための特別の構成を装備する必要がなく、構成の簡素化を図ることができるとともに、搬送経路５０内における紙詰まりを大幅に減少させることができる。
【図面の簡単な説明】
【００４３】
【図１】この実施形態の複合機における原稿給送部及び読取部を示す縦断面図。
【図２】複合機の上部を示す縦断面図。
【図３】電気的構成を示すブロック図。
【図４】一時停止時間の設定処理を示すフローチャート。
【図５】読取制御における送り込み処理のフローチャート。
【図６】同じく斜行矯正処理のフローチャート。
【符号の説明】
【００４４】
１０…原稿読取装置としての複合機、１１…原稿給送部、１７……矯正手段を構成するピックアップローラ、１８…矯正手段を構成する分離ローラ、１９…矯正手段を構成するレジストローラ、２６…駆動モータとしてのステップモータ、２８…矯正手段を構成するレジストローラクラッチ、２９…読取手段を構成する密着型イメージセンサ、３３…読取手段を構成する光源、３８…読取手段を構成する撮像素子、４１…制御手段及び調整手段としての制御装置、４２…記憶部、４３…変更手段を構成する操作部、５０…搬送経路、ＤＲＳ…レジストセンサ。
【図１】
2005167724.tif 000003
【図２】
2005167724.tif 000004
【図３】
2005167724.tif 000005
【図４】
2005167724.tif 000006
【図５】
2005167724.tif 000007
【図６】
2005167724.tif 000008